(57)【要約】【課題】接地面に対して車体自体が左右に傾斜する車両においても、有効な排水効果が得られる排水構造を備えた、新規な構造の電気接続箱を提供すること。【解決手段】電気部品２４，２６が装着される箱本体１２と、箱本体１２の下方開口部を覆うロアカバー１６を備えて車両に搭載される電気接続箱１０において、ロアカバー１６の底壁６６が、一方の上側端部から他方の下側端部に向かって下方に傾斜する傾斜面６８を有していると共に、傾斜面６８の傾斜方向の両端部に排水穴７０が設けられているようにした。【選択図】図４
2014220894.tif 000002
【特許請求の範囲】
【請求項１】
電気部品が装着される箱本体と、該箱本体の下方開口部を覆うロアカバーを備えて車両に搭載される電気接続箱において、
ロアカバーの底壁が、一方の上側端部から他方の下側端部に向かって下方に傾斜する傾斜面を有していると共に、前記傾斜面の傾斜方向の両端部に排水穴が設けられている
ことを特徴とする電気接続箱。
【請求項２】
前記車両が、左右方向の一方が下降するように傾斜して駐車されるものであって、
駐車時に下降する一方側に前記下側端部が位置するように前記車両に搭載されている請求項１に記載の電気接続箱。
【請求項３】
前記車両が、左右方向の一方が下降するように傾斜して駐車されるものであって、
駐車時に下降する一方側に前記上側端部が位置し、且つ、前記車両の駐車時において前記上側端部の方が下側端部よりも下に位置するように前記車両に搭載されている請求項１に記載の電気接続箱。
【請求項４】
前記ロアカバーの前記下側端部における側壁に電線導出孔が形成されている請求項３に記載の電気接続箱。
【発明の詳細な説明】
【技術分野】
【０００１】
本発明は、車両に搭載される電気接続箱に係り、特に、排水構造を備えた電気接続箱に関するものである。
【背景技術】
【０００２】
従来から、車両に搭載される電気接続箱は、リレーやヒューズ、電線等の電気部品が装着される箱本体と、かかる箱本体の上下側の開口部を覆うアッパカバーやロアカバーを含んで構成されており、アッパカバーやロアカバーにより、箱本体への直接の水掛かりが防止されるようになっている。
【０００３】
ところで、電気接続箱の表面に付着した水が、箱本体とアッパカバーおよびロアカバーとの嵌合隙間から電気接続箱の内部に入り込む場合がある。そこで、例えば、特開平９−３０８０５３号公報（特許文献１）に記載のように、ロアカバーの底壁に排水穴を設けると共に、排水穴に向かって下方傾斜する傾斜面を底壁に設けることで、電気接続箱の内部に浸入した水を排水穴へと流下させて排水する、排水構造を備えた電気接続箱が提案されている。
【０００４】
ところが、特許文献１に記載の排水構造は、そもそも四輪自動車のように、接地面に対して車体自体が傾斜しない場合を前提として考えられており、例えば二輪自動車の如き接地面に対して車体が左右に傾斜した状態で走行したり停車される車両に対応した対策は、特に取られていないのが現状である。
【０００５】
それ故、排水穴に向かって下方傾斜する傾斜面を設けるのみでは、接地面に対して車体自体が左右に傾斜する場合が多い自動二輪車等の車両において、期待する排水効果が得られない場合が発生するおそれがあった。
【先行技術文献】
【特許文献】
【０００６】
【特許文献１】特開平９−３０８０５３号公報
【発明の概要】
【発明が解決しようとする課題】
【０００７】
本発明は、上述の事情を背景に為されたものであって、その解決課題は、接地面に対して車体自体が左右に傾斜する車両においても、有効な排水効果が得られる排水構造を備えた、新規な構造の電気接続箱を提供することにある。
【課題を解決するための手段】
【０００８】
本発明の第一の態様は、電気部品が装着される箱本体と、該箱本体の下方開口部を覆うロアカバーを備えて車両に搭載される電気接続箱において、ロアカバーの底壁が、一方の上側端部から他方の下側端部に向かって下方に傾斜する傾斜面を有していると共に、前記傾斜面の傾斜方向の両端部に排水穴が設けられていることを、特徴とする。
【０００９】
本発明に従う構造とされた電気接続箱によれば、ロアカバーの底壁に、上側端部から他方の下側端部に向かって下方に傾斜する傾斜面が設けられており、その傾斜面の両端部に排水穴が設けられている。従って、車体が接地面に対して傾斜していない非傾斜状態では、ロアカバーの底壁に到達した水が、下方傾斜する傾斜面を伝って、最下端に位置する他方の下側端部に集水され、他方の下側端部に設けられた排水穴から速やかに排水される。
【００１０】
また、車体が接地面に対して傾斜する場合であって、下方傾斜面の最下端に位置する他方の下側端部側に車体が傾斜する際には、他方の下側端部へ向かう傾斜面の傾斜が一層急になって、排水穴へ向かう水の集水効果が一層有利に発揮される。さらに、車体が接地面に対して傾斜する場合であって、下方傾斜面の最上端に位置する一方の上側端部側に車体が傾斜する際には、傾斜面が一方の上側端部に向かって下方傾斜されることとなり、傾斜面を伝って一方の上側端部に水が集水され、一方の上側端部に設けた排水穴から速やかに排水できるのである。
【００１１】
要するに、従来構造では、排水穴が傾斜面の他方の下側端部にしか設けられていないことから、車体が下方傾斜する傾斜面と逆方向に傾斜した場合に、傾斜面の一方の上側端部に集水された水が排水されず、箱本体側に到達するおそれがあったが、本態様では、一方の上側端部にも排水穴が設けられていることから、車体が下方傾斜する傾斜面と逆方向に傾斜した場合にも、排水穴からの速やかな排水を実現できるのである。
【００１２】
なお、車体が接地面に対して傾斜しない自動四輪車の場合でも、路面の傾斜状態によっては、傾斜面の一方の上側端部が他方の下側端部よりも鉛直下方に位置する場合も想定されるが、そのような場合でも、一方の上側端部の排水穴から速やかな排水が促され得る。
【００１３】
本発明の第二の態様は、前記第一の態様に記載のものにおいて、前記車両が、左右方向の一方が下降するように傾斜して駐車されるものであって、駐車時に下降する一方側に前記下側端部が位置するように前記車両に搭載されているものである。
【００１４】
本態様によれば、自動二輪車等がサイドスタンドにより、車両自体が左右方向の一方が下降するように傾斜して駐車される際に、駐車時に下降する一方側に下側端部が位置するように車両に搭載されるようになっている。これにより、駐車時において、ロアカバー底壁の傾斜面の傾斜が急になって、排水穴へ向かう水の集水効果や、排水穴からの排水効果を一層有利に発揮することができるのである。
【００１５】
本発明の第三の態様は、前記第一の態様に記載のものにおいて、前記車両が、左右方向の一方が下降するように傾斜して駐車されるものであって、駐車時に下降する一方側に前記上側端部が位置し、且つ、前記車両の駐車時において前記上側端部の方が下側端部よりも下に位置するように前記車両に搭載されているものである。
【００１６】
本態様によれば、自動二輪車等がサイドスタンドにより、車両自体が左右方向の一方が下降するように傾斜して駐車される際に、駐車時に下降する一方側に上側端部が位置し、且つ、上側端部の方が下側端部よりも下に位置するように車両に搭載されるようになっている。それ故、駐車時の傾斜面の傾斜角度が、上側端部に設けた排水穴からの排水が促されるよう適切に調節されている。しかも、駐車時の傾斜面の傾斜角度が鉛直に近い程大きくなり過ぎて、却って排水穴からの排水が促され難くなる不具合を防止できるのである。
【００１７】
本発明の第四の態様は、前記第三の態様に記載のものにおいて、前記ロアカバーの前記下側端部における側壁に電線導出孔が形成されているものである。
【００１８】
本態様によれば、ロアカバー傾斜面における下側端部側の側壁に電線導出孔が形成されている。車両の駐車時において傾斜面の上側端部の方が下側端部よりも下に位置するようになっており、上側端部の排水穴から速やかに排水できる。それ故、下側端部側の側壁に形成された電線導出孔からの排水や排水された水が電線を伝って電気系統に故障を生じさせるおそれを未然に防止することができる。
【発明の効果】
【００１９】
本発明の電気接続箱によれば、ロアカバーの底壁に、一方の上側端部から他方の下側端部に向かって下方傾斜する傾斜面が設けられており、その傾斜面の両端部に排水穴が設けられている。従って、下方傾斜面の傾斜方向の何れの側に車体が傾斜しても、傾斜面の両端部に設けられた排水穴から速やかな排水が促され、接地面に対して車体自体が傾斜する車両に対して搭載した場合でも、有効な排水効果が安定して得られるのである。
【図面の簡単な説明】
【００２０】
【図１】本発明の一実施形態としての電気接続箱の正面図。
【図２】図１に示した電気接続箱の平面図。
【図３】図１に示した電気接続箱の箱本体の平面図。
【図４】図２におけるＩＶ−ＩＶ断面図。
【図５】図１におけるＶーＶ断面図。
【図６】図１に示した電気接続箱のロアカバーの平面図。
【図７】図６に示したロアカバーの要部拡大斜視図。
【図８】車体が接地面に対して傾斜した際の図１に示した電気接続箱の状態を示す説明図。
【図９】本発明の別の実施形態であって、図８（ａ）に相当する説明図。
【発明を実施するための形態】
【００２１】
以下、本発明の実施形態について、図面を参照しつつ説明する。
【００２２】
先ず、図１〜８に、本発明の一実施形態としての電気接続箱１０を示す。電気接続箱１０は、図示しない車両としての自動二輪車の適所に配設されて、バッテリーから供給される電力をモータやランプ等の車載電装品に分配する機能を担っている。なお、電気接続箱１０は、図１の上下方向を鉛直方向として自動二輪車へ搭載される。図１には、自動二輪車が接地面に対して左右何れの側にも傾斜されていない非傾斜状態における電気接続箱１０の状態が示されており、自動二輪車の車体の左右両側への傾斜に伴い、電気接続箱１０も図１の左右側に傾斜するようになっている。以下の説明においては、特に断りのない限り、上下方向とは図１における上下方向を言い、左右方向とは図１における左右方向を言うものとする。
【００２３】
より詳細には、電気接続箱１０は、箱本体１２と、箱本体１２の上方開口部を覆うアッパカバー１４と、箱本体１２の下方開口部を覆うロアカバー１６を含んで構成されている。これら箱本体１２とアッパカバー１４およびロアカバー１６は、何れも合成樹脂により形成されている。
【００２４】
箱本体１２は、全体として長手矩形ブロック形状を呈し、図３に示すように、箱本体１２の上面には、複数のリレー装着部１８ａ，１８ｂ（本実施形態では２つ）や複数のヒューズ装着部２０（本実施形態では６つ）が、上方に向かって開口形成されている。図４に示すように、箱本体１２の下面には、複数の端子収容孔２２が下方に向かって開口形成されており、電線２１の端末に圧着された圧着端子２３が端子収容孔２２に収容配置されるようになっている。さらに、箱本体１２には、内部回路を構成する図示しないバスバーが、図示しないバスバー収容溝等に収容配置されるようになっている。なお、図面の明瞭化の目的から、電線２１および圧着端子２３は、図４にのみ仮想線で示し、他の図における図示を省略している。
【００２５】
そして、箱本体１２の上面側から、各リレー装着部１８や各ヒューズ装着部２０に対して、電気部品としてのリレー２４ａ，ｂやヒューズ２６が装着されると、リレー２４ａ，ｂやヒューズ２６から突出する各タブ端子２８が、電線２１の端末の圧着端子２３や図示しないバスバー等に接続されて導通されるようになっている。
【００２６】
箱本体１２の幅方向（図３中、上下方向）で対向する周壁３０ａ，３０ｃの外周面には、図示しない固定用ブラケットに装着されるロック嵌合部３２，３４がそれぞれ突設されており、ロック嵌合部３２，３４を図示しない固定用ブラケットに嵌合させることにより、電気接続箱１０が車両の所定位置に安定して保持されるようになっている。
【００２７】
箱本体１２の長手方向（図３中の左右方向）で対向する周壁３０ｂ，３０ｄには、箱本体１２の上方開口部近傍において、それぞれ平面視でコ字状のロック枠体３６が突設されている。また、箱本体１２の周壁３０ｂ，３０ｄにおける下方開口部近傍において、それぞれ２つのロック突部３８，３８が周方向に離隔して突設されている。
【００２８】
アッパカバー１４は、下方に開口する有底箱体形状を有しており（図４参照）、平面視において、箱本体１２の上面と略同一の長手矩形状に形成されている（図２参照）。アッパカバー１４の上底部４０において、箱本体１２への組み付け時にリレー２４ａ，２４ｂと対向する位置には、それぞれリレー２４ａ，２４ｂに向かって突出する押え突起４２ａ，４２ｂが設けられている。これら押え突起４２ａ，４２ｂの突出端面は、図４に示すように、リレー２４ａ，２４ｂに対して僅かな隙間を隔てて対向配置されている。これにより、車両走行時の振動等によりリレー２４ａ，２４ｂが浮き上がった場合に、リレー２４ａ，２４ｂが押え突起４２ａ，４２ｂに当接することで、リレー装着部１８ａ，１８ｂからのリレー２４ａ，２４ｂの抜け出しが防止されるようになっている。
【００２９】
また、アッパカバー１４の上底部４０において、箱本体１２への組み付け時にヒューズ装着部２０と対向する位置には、予備ヒューズ保持部４３が設けられており、予備のヒューズ２６が収容保持されている。
【００３０】
アッパカバー１４の長手方向（図２中の左右方向）で対向する周壁４４ｂ，４４ｄには、箱本体１２のロック枠体３６と対向する位置に、それぞれ弾性ロック片４６，４６が、周壁４４ｂ，４４ｄとの間に隙間を隔てて片持ち梁状に突設されている。各弾性ロック片４６の突出先端部には、外方に向かって突出するロック爪部４８，４８がそれぞれ設けられている。なお、アッパカバー１４の幅方向（図２中の上下方向）で対向する周壁４４ａ，４４ｃの外面は、何も突設されない平坦面とされている。
【００３１】
このようなアッパカバー１４を箱本体１２の上方開口部に組み付ける際には、図５に示すように、アッパカバー１４の周壁４４の内周面が、箱本体１２の周壁３０の上端部分の外周面に重ね合されるように挿し入れられる。さらに、アッパカバー１４が箱本体１２側に押し込まれると、図４に示すように、アッパカバー１４の弾性ロック片４６，４６の各ロック爪部４８，が、箱本体１２のロック枠体３６に当接し、弾性ロック片４６，４６が内方に撓み変形して更なる押し込みが許容される。そして、ロック爪部４８，４８がロック枠体３６，３６を乗り越えて弾性ロック片４６，４６が弾性復帰されると、各ロック爪部４８がロック枠体３６に係合して、アッパカバー１４が箱本体１２の上方開口部への装着状態にロックされるのである。
【００３２】
次に、ロアカバー１６は、上方に開口する有底箱体形状を有しており（図４参照）、平面視において、箱本体１２の下面と略同一の長手矩形状に形成されている（図６参照）。ロアカバー１６の幅方向（図６中、上下方向）で対向する周壁５０ａ，５０ｃの外面は何も突設されない平坦面とされている。一方、ロアカバー１６の長手方向（図６中の左右方向）で対向する周壁５０ｂ，５０ｄの開口側端部には、箱本体１２のロック突部３８と対向する位置に、それぞれ２つの弾性ロック片５２，５２が、片持ち梁状に上方に向かって突設されている（図７参照）。各弾性ロック片５２は、逆Ｕ字形状で周壁５０ｂ，５０ｄの開口側端部から上方に向かって突出しており、突出先端部に設けられた係合部５４が、ロック突部３８と干渉することで弾性ロック片５２が外周側に撓み変形する一方、係合部５４がロック突部３８を乗り越えて弾性ロック片５２が弾性復帰することで、ロック突部３８に係合部５４が係合されて、ロアカバー１６が箱本体１２の下方開口部への装着状態にロックされるようになっている。
【００３３】
そして、ロアカバー１６の周壁５０における開口端面５６には、箱本体１２の周壁３０の外周面に重ね合される外周側止水壁５８と、箱本体１２の周壁３０の内周面に重ね合される内周側止水壁６０が、開口端面５６の周方向で分散して設けられている。具体的には、開口端面５６において、図６の左側の領域では、周壁５０ａ，５０ｂ，５０ｃに跨って外周側止水壁５８が突設されている。一方、図６の中央部分から右側の領域では、周壁５０ｃ，５０ｄ，５０ａに跨って内周側止水壁６０が突設されている。このように、外周側止水壁５８と内周側止水壁６０を周方向で分散して設けることにより、ロアカバー１６を箱本体１２の下方開口部へ装着する際のタイミングを外周側止水壁５８嵌合時と内周側止水壁６０嵌合時に分散させることができ、一時に必要な嵌合力の低減を図ることができるのである。
【００３４】
図５には、ロアカバー１６の開口端面５６に設けられた内周側止水壁６０が、箱本体１２の周壁３０ａ，３０ｃの内周面に重ね合されている状態が断面で示されている。また、その奥方には、開口端面５６に設けられた外周側止水壁５８が表れており、外周側止水壁５８が箱本体１２の周壁３０ａ，３０ｃの外周面に重ね合されていることが確認できる。
【００３５】
さらに、図７に示すように、ロアカバー１６には、周壁５０ｂにおける弾性ロック片５２に挟まれた中央部分において、電線導出孔６２が開口端面５６に開口して貫設されており、箱本体１２に装着された電線２１を電線導出孔６２から外部に引き出せるようになっている。これにより、周壁５０ａ〜５０ｃに跨って開口端面５６に突設された外周側止水壁５８の形成領域に、電線導出孔６２が形成されており、外周側止水壁５８が電線導出孔６２により周方向で分断されている。さらに、図７に示すように、周壁５０ｂの内周面側では、電線導出孔６２の周方向両側において、ロアカバー１６の開口端面５６が、外周側止水壁５８の内面に対して鈍角：αで連接する傾斜端面６４とされている。これにより、ロアカバー１６を箱本体１２の下方開口部に装着する際に、電線導出孔６２から導出される電線２１を、ロアカバー１６の開口端面５６と箱本体１２の周壁３０ｂの端面の間で挟み込む不具合が有利に防止できる。なお、鈍角：αは、より好ましくは１３５°以上の鈍角に設定される。
【００３６】
一方、ロアカバー１６の底壁６６は、長手方向の一方の上側端部（図４中、右側）となる周壁５０ｄ側から、長手方向の他方の下側端部（図４中、左側）となる周壁５０ｂ側に向かって下方傾斜する傾斜面６８を有している。ここで、傾斜面６８の下方傾斜角度：Ａ（図４，８参照）は、電気接続箱１０の配設スペース等により任意に設定可能であるが、本実施形態では１０°に設定されている。また、底壁６６の傾斜方向である長手方向の両端部には、それぞれ排水穴７０ａ，７０ｂが貫設されている。そして、底壁６６の傾斜方向で最下端に位置する他方の下側端部側となる周壁５０ｂに、電線導出孔６２が設けられているのである。なお、図６に示すように、本実施形態では、排水穴７０ａが、外周側止水壁５８と内周側止水壁６０が周方向で分断された領域Ｇ部分の直下に設けられており、領域Ｇから浸水した場合にも、排水穴７０ａから速やかな排水が確保されるようになっている。
【００３７】
このような構造とされた本実施形態の電気接続箱１０によれば、ロアカバー１６の底壁６６に、一方の上側端部から他方の下側端部に向かって下方傾斜する傾斜面６８が設けられている。しかも、傾斜面６８の傾斜方向となる電気接続箱１０の長手方向の両端部に、排水穴７０ａ，７０ｂがそれぞれ設けられている。従って、自動二輪車の車体が接地面に対して傾斜していない図１に示す非傾斜状態では、電気接続箱１０における箱本体１２とアッパカバー１４およびロアカバー１６との嵌合面間から、電気接続箱１０の内部に浸入してロアカバー１６の底壁６６に到達した水が、下方傾斜する傾斜面６８を伝って、最下端に位置する他方の下側端部側となる周壁５０ｂ側に設けられた排水穴７０ａに向かって集水され、排水穴７０ａから速やかに排水される。
【００３８】
次に、自動二輪車の車体が接地面に対して傾斜する場合について、図８（ａ），（ｂ）を用いて説明する。図８（ａ），（ｂ）には、自動二輪車の車体７２が接地面７４に対して傾斜する場合が、概略的に示されている。なお、図８（ａ），（ｂ）では、理解を容易とするために、車体７２と接地面７４を概念的に仮想線で示すと共に、電気接続箱１０の断面を拡大して示している。
【００３９】
図８（ａ）には、自動二輪車がサイドスタンド７６により、車体７２自体が接地面７４に対して左側に傾斜した状態で駐車された状態が示されている。この場合、傾斜面６８に設けられた排水穴７０ａ，７０ｂが自動二輪車の左右方向で離隔配置されており、駐車時に下降する左側に傾斜面６８の下側端部や周壁５０ｂが位置するように電気接続箱１０が車体７２に搭載されている一方、傾斜面６８の最下端となる周壁５０ｂ側に位置して、排水穴７０ａが配設されている。これにより、駐車時のロアカバー１６の底壁６６において、傾斜面６８の排水穴７０ａに向かう傾斜が、車体７２の接地面７４に対する非傾斜状態（鉛直方向）からの傾斜角度：αだけ急になって（Ａ＋α）、排水穴７０ａへ向かう水の集水効果や、排水穴７０ａからの排水効果を一層有利に発揮することができるのである。
【００４０】
図８（ｂ）には、自動二輪車が走行時に右側にカーブする際や誤って右側に傾斜した際に、車体７２自体が接地面７４に対して右側に傾斜角度：βだけ傾斜した状態が示されている。この場合、電気接続箱１０が鉛直方向に対して傾斜角度：βだけ傾斜することにより、非傾斜状態で傾斜面６８の最上端となる周壁５０ｄ側の端部（図８中、右側）が、鉛直方向で最下端に位置することとなり、傾斜面６８が周壁５０ｄ側の端部に向かって下方傾斜されることとなる。これにより、傾斜面６８を伝って一方の上側端部に水が集水され、一方の上側端部に設けた排水穴７０ｂから速やかに排水できるのである。
【００４１】
すなわち、従来構造では、車体７２が接地面７４に対して非傾斜状態であることが前提となり、非傾斜状態における傾斜面６８の傾斜方向で下端となる側にしか排水穴が設けられておらず、車体７２が下方傾斜する傾斜面６８と逆方向に傾斜した場合に、傾斜面６８において排水穴が設けられていない側に集水された水が排水されないという問題があった。本実施形態では、傾斜面６８の傾斜方向の両端部に排水穴７０ａ，７０ｂが設けられていることから、車体７２が下方傾斜する傾斜面６８と逆方向に傾斜した場合にも、排水穴７０ｂからの速やかな排水が実現できるのである。それ故、本実施形態に従う電気接続箱１０は、車体７２が接地面７４に対して傾斜する自動二輪車に搭載されても、自動二輪車に適した有効な排水効果を発揮することができるのである。
【００４２】
以上、本発明の実施形態について詳述したが、本発明はその具体的な記載によって限定されない。例えば、車両への電気接続箱１０の設置方向や位置は任意に設定可能である。具体的には、図９に示す別の実施形態では、駐車時に下降する左側に傾斜面６８の上側端部（周壁５０ｄ側）が位置し、且つ、車体７２の駐車時において傾斜面６８の上側端部が下側端部（周壁５０ｂ側）よりも鉛直方向（図９中上下方向）で下に位置するように電気接続箱１０が車体７２に搭載されている。このように車体７２が下方傾斜する傾斜面６８と逆方向に傾斜した場合でも、一方の上側端部にも排水穴７０ｂが設けられていることから、排水穴７０ｂからの速やかな排水を実現できるのである。また、駐車時の傾斜面６８の傾斜角度が鉛直に近い程大きくなり過ぎて、却って排水性が阻害される不具合を未然に防止できる。
【００４３】
加えて、ロアカバー１６の傾斜面６８の下側端部側の側壁たる周壁５０ｂに電線導出孔６２が形成されている。本実施形態においては、車体７２の駐車時において傾斜面６８の下側端部（周壁５０ｂ側）の方が上側端部（周壁５０ｄ側）よりも鉛直方向で上に位置されていることから、下側端部側の周壁５０ｂに形成された電線導出孔６２から排水されることが有利に防止されている。この結果、排水が電線２１を伝って電気系統に故障を生じさせるおそれを未然に防止できる。
【００４４】
また、本実施形態では、電気接続箱１０を自動二輪車に搭載した態様を示したが、これに限定されない。例えば、電気接続箱１０を車体が接地面に対して傾斜しない車両としての自動四輪車の場合でも、路面の傾斜状態によっては、傾斜面６８の一方の上側端部（排水穴７０ｂ側）が他方の下側端部（排水穴７０ａ側）よりも鉛直下方に位置する場合も想定される。このような場合でも、一方の上側端部の排水穴７０ｂから速やかな排水が促され、有効な排水効果が発揮されるのである。
【００４５】
加えて、ロアカバー１６の底壁６６に設ける傾斜面６８の傾斜角度や排水穴の個数や位置等は、電気接続箱の配設スペースや被水可能性等を考慮して適宜変更可能である。
【符号の説明】
【００４６】
１０：電気接続箱、１２：箱本体、１６：ロアカバー、２４ａ，ｂ：リレー（電気部品）、２６：ヒューズ（電気部品）、５０ｄ：周壁（側壁）、６２：電線導出孔、６６：底壁、６８：傾斜面、７０ａ，ｂ：排水穴、７２：車体
【図１】
2014220894.tif 000003
【図２】
2014220894.tif 000004
【図３】
2014220894.tif 000005
【図４】
2014220894.tif 000006
【図５】
2014220894.tif 000007
【図６】
2014220894.tif 000008
【図７】
2014220894.tif 000009
【図８】
2014220894.tif 000010
【図９】
2014220894.tif 000011